(57)【要約】【課題】施工時などに屋根材に割れや破損が生じることを抑制することができる屋根葺き構造を提供する。【解決手段】屋根下地２の上に、軒と平行な方向に隣り合う屋根材１を、その側端同士を突き合わせて配置すると共に、軒棟方向に隣り合う屋根材１を、軒側の屋根材１の棟側端部の上に棟側の屋根材１の軒側端部を重ねて配置して、軒棟方向の複数段に屋根材１を葺設した屋根葺き構造に関する。一段置きに配置される屋根材１間で、屋根材１の側端が軒棟方向の一直線上に一致しないように各屋根材１を配置する。また屋根材１の全面に他の屋根材１が重なるように各屋根材１を配置する。【選択図】図１
2011226231.tif 000002
【特許請求の範囲】
【請求項１】
屋根下地の上に、軒と平行な方向に隣り合う屋根材を、その側端同士を突き合わせて配置すると共に、軒棟方向に隣り合う屋根材を、軒側の屋根材の棟側端部の上に棟側の屋根材の軒側端部を重ねて配置して、軒棟方向複数段に屋根材を葺設した屋根葺き構造であって、一段置きに配置される屋根材間で、屋根材の側端が軒棟方向の一直線上に一致しないように各屋根材を配置すると共に、屋根材の全面に他の屋根材が重なるように各屋根材を配置して成ることを特徴とする屋根葺き構造。
【請求項２】
屋根材を屋根下地に釘打ち固定するにあたって、釘打ちする屋根材の軒側に隣り合う屋根材の棟側端縁に接する位置において、屋根材に釘を打入して成ることを特徴とする請求項１に記載の屋根葺き構造。
【請求項３】
軒棟方向に隣り合う屋根材において、軒側の屋根材の一方の側端から、屋根材の幅寸法の１／３あるいは１／４の位置に、棟側の屋根材の側端を合わせて、軒側の屋根材の上に棟側の屋根材を重ねることによって、一段置きに配置される屋根材間で、屋根材の側端が軒棟方向の一直線上に一致しないように各屋根材を配置したことを特徴とする請求項１又は２に記載の屋根葺き構造。
【請求項４】
軒側に隣り合う屋根材の側端が重なる位置の軒棟方向の延長線上に、Ｖ字形に形成される切欠部のＶ字の頂部が位置するように、屋根材の棟側端部に切欠部を設け、この屋根材を切欠部のＶ字の頂部を通る軒棟方向の直線で切断して屋根材を２分割し、分割した屋根材を屋根のケラバ端部に配置して成ることを特徴とする請求項１乃至３のいずれか１項に記載の屋根葺き構造。
【請求項５】
請求項４の屋根葺き構造に用いられる屋根材であって、軒側に隣り合う屋根材の側端が重なる位置の軒棟方向の延長線上に、Ｖ字形に形成される切欠部のＶ字の頂部が位置するように、屋根材の棟側端部に切欠部を設けて成ることを特徴とする屋根材。
【発明の詳細な説明】
【技術分野】
【０００１】
本発明は、平板の屋根材を用いた屋根葺き構造及び屋根材に関するものである。
【背景技術】
【０００２】
平板スレートなど平板状の屋根材を用いて屋根葺きを行なうにあたっては、屋根材を千鳥に配置して施工する方法が一般的である（例えば、特許文献１等参照）。
【０００３】
図１１は屋根材１を千鳥に配置して屋根葺きを行なう施工の一例を示すものであり、図１１（ａ）のように、軒と平行な方向に隣り合う屋根材１は、その側端同士を突き合わせて配置し、また軒棟方向に隣り合う屋根材１は、軒側の屋根材１の棟側端部の上に棟側の屋根材１の軒側端部を重ねて配置してある。このとき、軒と平行な方向に隣り合う屋根材１を突き合わせた側端部が、軒側の屋根材１の軒と平行な方向での中央部に位置するように、軒側の屋根材１の上に棟側の屋根材１を重ねることによって、屋根材１を千鳥に配置することができる。
【先行技術文献】
【特許文献】
【０００４】
【特許文献１】特開２００１−９８７０４号公報
【発明の概要】
【発明が解決しようとする課題】
【０００５】
このように屋根材１を千鳥に配置して、屋根材１を軒棟方向に重ねて葺いていくと、軒と平行な方向に隣り合う屋根材１の突き合わせ端部は、図１１（ｂ）に示すように、一段置きで一直線上に位置することになる。すなわち図１２（ａ）は、垂木６の上に屋根下地２として野地板７を張り、野地板７の上面に屋根材１を葺いた状態を示す正面側の断面図であり、この図にみられるように、軒棟方向の３段の屋根材１のうち、中央の段の屋根材１ａの中央部の下に、下の段の屋根材１ｂの突き合わせ端部が位置し、またこの中央の段の屋根材１ａの中央部の上に、上の段の屋根材１ｃの突き合わせ端部が位置する。従って、下の段の屋根材１ｂの突き合わせ端部と上の段の屋根材１ｃの突き合わせ端部は、中央の段の屋根材１ａの中央部において一致することになる。
【０００６】
このものにあって、上段の屋根材１ｃの突き合わせ端部の部分に施工時に作業者が乗るなどして、図１２（ａ）のイ矢印のように荷重が作用すると、上段の屋根材１ｃの側端部は下方へ撓み変形し、中段の屋根材１ａの中央部に下方へ屈曲させるように力が作用する。しかし、中段の屋根材１ａの中央部の下側には、下段の屋根材１ｂの側端部が位置しているだけであり、中段の屋根材１ａの中央部に下方へ屈曲させるように作用する力を下段の屋根材１ｂで強く受けることができず、中段の屋根材１ａの変形を抑制することはできない。このため、中段の屋根材１ａの中央部において縦に割れが発生し易いという問題が生じるものであった。
【０００７】
特に、中段の屋根材１ａの中央部が、図１２（ａ）のように垂木６と垂木６の間に位置していると、野地板７の撓み変形で、上記のような屋根材１ａの割れが生じ易くなるものである。なかでも近時、木材の高騰の影響から品質の低い野地板７が使用されることが多く、この場合には野地板７は荷重に対して容易に撓み変形するので、屋根材１ａに割れがより発生し易くなるものであった。
【０００８】
ここで、図１３に示すように、屋根材１が五角形などであると、屋根材１の棟側端部の上に棟側に隣り合う屋根材１の軒側端部を重ねて、屋根材１を葺き並べる際に、屋根材１の上に他の屋根材１が重ねられない部分が生じることがある。この部分では屋根材１は一重葺きとなって、屋根材１の下側は空所１４となるので、屋根材１に踏み割れ等が発生し易いものであった。しかもこの部分において屋根材１に割れが発生すると、雨水はそのまま屋根下地２へと浸入するので、防水性が劣るという問題があった。
【０００９】
また、上記のように屋根材１を野地板７の上に取り付けるにあたって、屋根材１から釘３を野地板７に打ち込むことによって、屋根材１を固定するようにしている。図１２（ｂ）は野地板７の上に屋根材１を釘３で固定した状態を示す側面側の断面図であり、例えば上記と同様な３段の屋根材１についてみれば、屋根材１ａはその軒側端部を、軒側に隣り合う屋根材１ｂの棟側端部の上に重ねているので、屋根材１ａの棟側端部の下面と野地板７との間には隙間ロが生じている。そして屋根材１ａに釘３を打ち込む位置は、棟側に隣り合う屋根材１ｃによって覆われていることが必要であるので、屋根材１ａの棟側端部となる。しかし、屋根材１ａの棟側端部の下側には上記のように隙間ロが形成されていて、屋根材１ａの棟側端部の下面は支えられていないので、この箇所に釘３を打ち込む際の衝撃で、屋根材１ａに破損が発生し易いものであった。
【００１０】
本発明は上記の点に鑑みてなされたものであり、施工時などに屋根材に割れや破損が生じることを抑制することができる屋根葺き構造及び屋根材を提供することを目的とするものである。
【課題を解決するための手段】
【００１１】
本発明に係る屋根葺き構造は、屋根下地２の上に、軒と平行な方向に隣り合う屋根材１を、その側端同士を突き合わせて配置すると共に、軒棟方向に隣り合う屋根材１を、軒側の屋根材１の棟側端部の上に棟側の屋根材１の軒側端部を重ねて配置して、軒棟方向の複数段に屋根材１を葺設した屋根葺き構造であって、一段置きに配置される屋根材１間で、屋根材１の側端が軒棟方向の一直線上に一致しないように各屋根材１を配置すると共に、屋根材１の全面に他の屋根材１が重なるように各屋根材１を配置して成ることを特徴とするものである。
【００１２】
この発明によれば、下段の屋根材１と上段の屋根材１の間の中段の屋根材１において、上下段の屋根材１の突き合わせ端部が一致しないようにしてあるので、上段の屋根材１に施工時などに荷重が作用しても、この荷重は中段の屋根材１の他に、下段の屋根材１においても受けられることになり、中段の屋根材１が撓み変形されることを防いで割れが生じることを抑制することができるものである。また屋根材１の全面において他の屋根材１が重なるように各屋根材１を配置してあるので、屋根材１の一重葺きになる箇所がないようにすることができ、屋根材１に割れが発生することを抑制することができると共に、防水性が高いものである。
【００１３】
また本発明は、屋根材１を屋根下地２に釘打ち固定するにあたって、釘打ちする屋根材１の軒側に隣り合う屋根材１の棟側端縁に接する位置において、屋根材１に釘３を打入して成ることを特徴とするものである。
【００１４】
このように、軒側に隣り合う屋根材１の棟側端縁に接する位置において、屋根材１に釘３を打入するようにすれば、屋根材１の釘打ちをする箇所の下面は軒側の屋根材１で支持されているものであり、釘打ちの際の衝撃を軒側の屋根材１で受けることができ、屋根材１に破損が生じることを抑制することができるものである。
【００１５】
また本発明は、軒棟方向に隣り合う屋根材１において、軒側の屋根材１の一方の側端から、屋根材１の幅寸法の１／３あるいは１／４の位置に、棟側の屋根材１の側端を合わせて、軒側の屋根材１の上に棟側の屋根材１を重ねることによって、一段置きに配置される屋根材１間で、屋根材１の側端が軒棟方向の一直線上に一致しないように各屋根材１を配置したことを特徴とするものである。
【００１６】
この発明によれば、下段の屋根材１と上段の屋根材１の間の中段の屋根材１において、上下段の屋根材１の突き合わせ端部の幅方向での位置ずれを大きくすることができ、屋根材１の割れを防ぐ効果を高く得ることができるものである。
【００１７】
また本発明は、軒側に隣り合う屋根材１の側端が重なる位置の軒棟方向の延長線上に、Ｖ字形に形成される切欠部４のＶ字の頂部が位置するように、屋根材１の棟側端部に切欠部４を設け、この屋根材１を切欠部４のＶ字の頂部を通る軒棟方向の直線で切断して屋根材１を２分割し、分割した屋根材１を屋根のケラバ端部に配置して成ることを特徴とするものである。
【００１８】
屋根材１をケラバ端部に施工するために屋根材１を切断するにあたって、切断した箇所の側端部には切欠部４のＶ字形の一辺で傾斜する縁が形成され、この傾斜縁で面取り部９が形成されるものであり、面取り部９を形成するために屋根材１を切断するような必要がなくなるものである。
【発明の効果】
【００１９】
本発明によれば、下段の屋根材１と上段の屋根材１の間の中段の屋根材１において、上下段の屋根材１の突き合わせ端部が一致しないようにしてあるので、上段の屋根材１に施工時などに荷重が作用しても、この荷重は中段の屋根材１の他に、下段の屋根材１においても受けられることになり、中段の屋根材１が撓み変形されることを防いで割れが生じることを抑制することができるものである。また屋根材１の全面において他の屋根材１が重なるように各屋根材１を配置してあるので、屋根材１の一重葺きになる箇所がないようにすることができ、屋根材１に割れが発生することを抑制することができると共に、防水性が高いものである。さらに、軒側に隣り合う屋根材１の棟側端縁に接する位置において、屋根材１に釘３を打入するようにしてあるので、屋根材１の釘打ちをする箇所の下面は軒側の屋根材１で支持されているものであり、釘打ちの際の衝撃を軒側の屋根材１で受けることができ、屋根材１に破損が生じることを抑制することができるものである。
【図面の簡単な説明】
【００２０】
【図１】本発明の実施の形態の一例を示すものであり、（ａ）（ｂ）は平面図である。
【図２】本発明の実施の形態の一例を示すものであり、(ａ)は正面から見た断面図、(ｂ)は側面から見た断面図である。
【図３】本発明の他の実施の形態の一例を示す平面図である。
【図４】同上の屋根材を示すものであり、（ａ）（ｂ）はそれぞれ平面図である。
【図５】本発明の他の実施の形態の一例を示す平面図である。
【図６】本発明の他の実施の形態の一例を示すものであり、（ａ）は平面図、（ｂ）は屋根材の平面図、（ｃ）はケラバ用の屋根材の平面図である。
【図７】本発明の他の実施の形態の一例を示すものであり、（ａ）は屋根材の平面図、（ｂ）はケラバ用の屋根材の平面図である。
【図８】同上の実施の形態を示すものであり、（ａ）（ｂ）は平面図である。
【図９】（ａ）は屋根材の他例を示す平面図、（ｂ）はこの屋根材を葺き並べた状態の平面図である。
【図１０】（ａ）は図９（ｂ）のイ−イ線断面図、（ｂ）は図９（ｂ）のロ−ロ線断面図である。
【図１１】従来例を示すものであり、（ａ）（ｂ）は平面図である。
【図１２】従来例を示すものであり、(ａ)は正面から見た断面図、(ｂ)は側面から見た
【図１３】従来例を示す平面図である。断面図である。
【発明を実施するための形態】
【００２１】
以下、本発明の実施の形態を説明する。
【００２２】
屋根材１は、住宅屋根用化粧スレート（ＪＩＳ  Ａ５４２３）に代表される窯業系の平板屋根材であり、水硬性材料を矩形（横長の長方形）の平板状に成形してある。屋根材１の棟側端縁の両側端部に斜めに切欠した面取り部９が形成してあり、また屋根材１の軒棟の方向の中央よりやや棟側寄りの位置において、屋根材１に釘孔１０が穿設してある。釘孔１０は軒と平行な幅方向に沿って複数箇所に形成されるものである。
【００２３】
次に、上記の屋根材１を野地板６で形成される屋根下地２の上に葺き並べて行なう屋根葺きの施工について説明する。屋根材１は軒と平行な方向に、その側端面同士を突き合わせて当接させた状態で、並べて配置されるものであり、各屋根材１に設けた釘孔１０を通して屋根下地２に釘３を打入することによって、屋根下地２に屋根材１を固定するようにしてある。
【００２４】
このようにして軒と平行な方向に屋根材１を並べて取り付けることによって、１段目の屋根材１の施工を行なった後、この屋根材１より棟側に配置される屋根材１を上記と同様にして、屋根下地２の上に取り付ける。このようにして２段目の屋根材１を取り付けるにあたって、１段目と２段目の軒棟方向に隣り合う屋根材１は、１段目の屋根材１の棟側端部の上に２段目の屋根材１の軒側端部を重ねて配置されるものであり、１段目の屋根材１の釘孔１４の上を２段目の屋根材１で覆うようにしてある。このとき、２段目の屋根材１を軒と平行な方向に並べて配置するにあたって、図１（ａ）のように、２段目の屋根材１の突き合わせ端部が、１段目の屋根材１の軒と平行な幅方向の１／３に位置するようにしてある。すなわち、１段目の屋根材１の一方の側端から、この屋根材１の幅寸法の１／３の位置に、２段目の屋根材１の側端を合わせるようにして、１段目の屋根材１の上に２段目の屋根材１を重ねて施工するものである。
【００２５】
またこのとき、２段目の屋根材１の釘孔１０が、１段目の屋根材１の棟側端縁の外縁に合致するように、２段目の屋根材１の軒棟方向の位置合せをするようにしてある。そして２段目の屋根材１の釘孔１０から釘３を屋根下地２に打ち込むことによって、この２段目の屋根材１を屋根下地２に固定することができるものである。
【００２６】
上記のように２段目の屋根材１の施工を行なった後、同様にして３段目の屋根材１の施工を行なう。３段目の屋根材１は、上記の１段目の屋根材１に対する２段目の屋根材１の施工と同様にして行なうものであり、３段目の屋根材１を軒と平行な方向に並べて配置するにあたって、図１（ｂ）のように、３段目の屋根材１の突き合わせ端部が、２段目の屋根材１の軒と平行な幅方向の１／３に位置するようにしてある。すなわち、２段目の屋根材１の一方の側端から、この屋根材１の幅寸法の１／３の位置に、３段目の屋根材１の側端を合わせるようにして、２段目の屋根材１の上に３段目の屋根材１を重ねて施工するものである。以下同様にして、さらに多くの段数で屋根材１を葺き並べることによって、図１（ｂ）のように屋根葺きの施工を行なうことができるものである。
【００２７】
このように屋根材１を配置して屋根葺きを行なうにあたって、軒棟方向で隣り合う上段と下段の屋根材１を、一方の側端から屋根材１の幅方向へ１／３幅でずらして配置してある。このため、図１（ｂ）や、屋根材１の３段の重なりを示す図２（ａ）にみられるように、中央の２段目の屋根材１ａの下には、一方の側端から１／３幅の位置に、１段目の屋根材１ｂの突き合わせ端部が位置し、またこの中央の２段目の屋根材１ａの上には、一方の側端から２／３幅の位置に、３段目の屋根材１ｃの突き合わせ端部が位置するものであり、１段目の屋根材１ｂの突き合わせ端部と３段目の屋根材１ｃの突き合わせ端部は、２段目の屋根材１ａの幅方向に１／３幅でずれるものである。すなわち、一段置きに配置される屋根材１間で、屋根材１の突き合せ端部は幅方向に大きくずれて、軒棟方向の一直線上に一致しないようになっている
既述の図１２（ａ）のように屋根材１ａの中央部において、下の段（１段目）の屋根材１ｂの突き合わせ端部と上の段（３段目）の屋根材１ｃの突き合わせ端部が一直線上に一致している場合、施工時に作業者の体重などが荷重として作用すると屋根材１ａに割れが発生し易い。しかし本発明では上記のように、２段目の屋根材１ａの下の、１段目の屋根材１の突き合わせ端部と、屋根材１ａの上の、３段目の屋根材１ｃの突き合わせ端部の位置が、幅方向に１／３幅でずれているため、施工時に作業者の体重などが荷重として作用して、図２（ａ）のイ矢印のように、上の段の屋根材１ｃの端部において屋根材１ａに下方へ撓み変形させる力が加わっても、屋根材１ａのこの部分の下側には下の段の屋根材１ｂが存在しており、この力を屋根材１ｂで受けて、屋根材１ａが下方へ撓み変形することを抑制することができるものであり、屋根材１ａに割れが発生することを防ぐことができるものである。
【００２８】
また、屋根材１から屋根下地２に釘３を打入して屋根材１の固定を行なうにあたって、上記のように、下段の屋根材１の棟側端縁の外縁に合致する位置で、屋根材１の釘孔１０から釘３を屋根下地２に打ち込むようにしてある。このため、図２（ｂ）にみられるように、屋根材１に釘３を打ち込む位置は、この屋根材１の下側に重なる屋根材１の棟側端縁に接することになり、屋根材１の釘３を打ち込む部分をその下側の屋根材１で支えることができるものである。従って、屋根材１の釘３を打ち込む部分と屋根下地２との間に実質的に隙間がない状態で釘打ちをすることができるものであり、釘打ちの際に屋根材１に破損が生じることを防ぐことができるものである。尚、屋根材１に釘３を打ち込む位置は、この屋根材１の下側に重なる屋根材１の棟側端縁に正確に接している必要はなく、殆ど接する程度に近接していればよい。
【００２９】
図３は本発明の他の実施の形態の一例を示すものであり、この実施の形態では、軒棟方向に隣り合う屋根材１において、軒側の屋根材１の一方の側端から、屋根材の幅寸法の１／４の位置に、棟側の屋根材１の一方の側端を合わせて、軒側の屋根材１の上に棟側の屋根材１を重ねるようにしてある。その他は、図１や図２（ｂ）の実施形態と同じである。
【００３０】
このものでは、軒棟方向で隣り合う上段と下段の屋根材１を、一方の側端から屋根材１の幅方向へ１／４幅でずらして配置してあるため、図３にみられるように、軒棟方向３段の屋根材１のうち、２段目の屋根材１ａの下には、一方の側端から１／４幅の位置に、１段目の屋根材１ｂの突き合わせ端部が位置し、またこの２段目の屋根材１ａの上には、一方の側端から３／４幅の位置に、３段目の屋根材１ｃの突き合わせ端部が位置するものであり、１段目の屋根材１ｂの突き合わせ端部と３段目の屋根材１ｃの突き合わせ端部は、２段目の屋根材１ａの幅方向に１／２幅でずれるものである。従ってこのものも、一段置きに配置される屋根材１間で、屋根材１の突き合せ端部は幅方向に大きくずれて、軒棟方向の一直線上に一致しないものであり、施工時の荷重の作用で屋根材１に割れが発生することを防ぐことができるものである。
【００３１】
上記のように下の段の屋根材１に対して上の段の屋根材１を、軒と平行な方向に１／３幅、あるいは１／４幅ずらすようにして重ねるにあたって、図４（ａ）のように屋根材１に幅方向を３等分する位置で位置合せマーク１２を設けておけば、この位置合せマーク１２に合わせることによって、１／３幅でずらして重ねる施工を正確に且つ容易に行なうことができるものである。また図４（ｂ）のように屋根材１に幅方向を４等分する位置で位置合せマーク１２を設けておけば、この位置合せマーク１２に合わせることによって、１／４幅でずらして重ねる施工を正確に且つ容易に行なうことができるものである。
【００３２】
なお、屋根下地２（野地板７）の強度が充分にある場合は、１／２幅でずらして重ねる施工であっても、屋根下地２（野地板７）は荷重に対して容易に撓み変形することがないので、従来のような１／２幅でずらして重ねる千鳥配置が可能となる。そのため、様々な現場に対応可能となるよう、例えば、図４（ａ）のように幅方向を３等分する位置に位置合せマーク１２を設けた屋根材１に、更に幅方向を２等分する位置に位置合せマーク（図示せず）を設けておいても良いものである。
【００３３】
ここで、既述の図１３のように、屋根材１を葺き並べる際に一重葺きの部分があると、その下側は空所１４となって、屋根材１に踏み割れ等が発生し易く、また防水性が劣る。そこで本発明では、図１や図３に示すように、屋根材１の棟側端部の上に棟側に隣り合う屋根材１の軒側端部を重ねて、屋根材１を葺き並べる際に、屋根材１の上に、一つ上段の屋根材１と、さらにもう一つ上段の屋根材１が重なるように、重ね代をとって各屋根材１を配置するようにしてある。このようにして、一重葺きの部分が生じないようにして、踏み割れに強い屋根葺きを行なうようにし、また二重以上の屋根材１の重なりで防水性を高く保持できるようにしてある。尚、本発明において、一重葺きの部分が生じないようにする屋根材１は、軒側端部に位置する屋根材１と棟側端部に位置する屋根材１以外のものである。
【００３４】
図１乃至図４の実施の形態では、屋根材１をほぼ矩形に形成したが、図５の実施の形態では、屋根材１の棟側端縁に張り出し部１６を設けて異形に形成してある。この張り出し部１６を設けた屋根材１にあっても、重ね代を調整して各屋根材１を配置することによって、一重葺きの部分が生じないようにしてある。
【００３５】
上記の図１や図３のように、軒棟方向に隣り合う屋根材１において、軒側の屋根材１の側端から所定幅寸法で、棟側の屋根材１の側端をずらして、軒側の屋根材１の上に棟側の屋根材１を重ねて屋根葺きを行なうと、屋根のケラバ端部（ロ）では、このずらした寸法で屋根材１を切断する必要がある。すなわち図６（ａ）に示すように、軒側の屋根材１に対して棟側の屋根材１を幅方向にずらした寸法分、ケラバ端部（ロ）において屋根材１に余りが出るので、これに合わせて屋根材１を切断して、ケラバ用の屋根材１ｄ，１ｅとして使用する必要がある。そして屋根材１の棟側の両側端には面取り部９が形成されており、特にケラバ側の側端には雨水がオーバーフローしないように必ず面取り部９を形成する必要がある。このとき、屋根材１が棟側両側端に面取り部９を設けたほぼ矩形のものであると、図６（ｂ）の鎖線のように、屋根材１を幅方向にすらして重ねる位置において、屋根材１を切断して、ケラバ用の屋根材１ｄと屋根材１ｅに分割した後、図６（ｃ）の鎖線のようにケラバ用の屋根材１ｄ，１ｅの棟側の側端部を斜めに切断して、面取り部９を形成する必要がある。この切断の作業は、施工現場において行なわれるため、施工の手間が増えるという問題がある。
【００３６】
そこで図７（ａ）の実施の形態では、屋根材１を幅方向にずらして重ねる位置において、屋根材１の棟側の端縁に切欠部４を予め形成するようにしてある。切欠部４はＶ字形に形成されるものであり、屋根材１を幅方向にずらして重ねる位置にＶ字形の頂部が一致するように、切欠部４を形成するようにしてある。例えば、屋根材１の幅寸法の１／３の位置に、棟側の屋根材１の側端を合わせるようにずらす場合、図７（ａ）のように、屋根材１の幅寸法の１／３の位置にＶ字形の頂部が一致するように切欠部４を形成するものである。
【００３７】
このようにＶ字形の切欠部４を設けて形成される屋根材１は、図８（ａ）のように、軒棟方向で隣り合う上段と下段の屋根材１を、一方の側端から屋根材１の幅方向へ所定寸法、例えば１／３幅でずらして配置して重ねることによって、屋根葺きが行なわれる。そして屋根のケラバ端部ロでは、屋根材１を幅方向へずらして重ねる寸法で、屋根材１を切断してケラバ用の屋根材１ｄ，１ｅに分割する必要がある。このとき、屋根材１を幅方向へずらして重ねる寸法の箇所にはＶ字形の頂点が一致するように切欠部４が形成してあるので、このＶ字形の頂点を通る図７（ａ）の鎖線で屋根材１を切断することによって、図７（ｂ）のようにケラバ用の屋根材１ｄ，１ｅに分割することができるものである。そしてこのように屋根材１を切断して得られる一対のケラバ用の屋根材１ｄ，１ｅの棟側の側端には、切欠部４の斜辺によって面取り部９が形成されるものである。従って、面取り部９を形成するためにケラバ用の屋根材１ｄ，１ｅの棟側の側端部を斜めに切断するような必要はなく、そのまま図１１（ｂ）のように屋根のケラバ端部（ロ）に施工することができるものである。
【００３８】
ところで、屋根材１として、例えば図９（ａ）に示すように、軒側部分において両側端縁に沿って狭い幅のスリット状切欠１８を形成するようにしたものがある。そしてこの屋根材１を用いて上記と同様にして、図９（ｂ）のように屋根葺きを行なうと、軒と平行な方向で隣り合う屋根材１の側端間において、一対のスリット状切欠１８によってスリット１９が形成されるようになっている。このスリット１９は屋根材１の軒側の露出される略半分の部分に形成されるものであり、一定の間隔で露出するスリット１９によって、屋根葺きのデザインにアクセントを付けることができるものである。
【００３９】
ここで、このように屋根材１の軒側略半分の部分にスリット１９が形成されるようにすると、このスリット１９の箇所において、屋根材１が一重になる部分が生じることがある。すなわち図１０（ａ）は、スリット１９を通らない図９（ａ）のイ−イ線での断面図であり、屋根材１は全面に亘って二重以上に重なっており、一重の部分はない。一方、図１０（ｂ）は、スリット１９を通る図９（ａ）のロ−ロ線での断面図であり、スリット１９が上側に重なる屋根材１では、スリット１９の部分において一重になる部分が生じている。しかし、このスリット１９は上記のように屋根において表面に露出しており、屋根材１の上に乗って作業する作業者に容易に目に止まるものである。既述の図１３のように屋根材１の下側において目に見えない空所１４が形成される場合には、屋根材１が一重になっている部分は分からないが、スリット１９によって屋根材１が一重になっている部分は容易に分かる。従って、作業者は屋根材１が一重になるスリット１９の部分を避けて屋根材１の上に乗るようにして、屋根葺きや補修等の作業をすることができるものであり、作業者の体重が屋根材１が一重になる部分に作用して屋根材１に割れが発生することを意識的に防止しながら作業をすることができるものである。
【符号の説明】
【００４０】
１  屋根材
２  屋根下地
３  釘
４  切欠部
【図１】
2011226231.tif 000003
【図２】
2011226231.tif 000004
【図３】
2011226231.tif 000005
【図４】
2011226231.tif 000006
【図５】
2011226231.tif 000007
【図６】
2011226231.tif 000008
【図７】
2011226231.tif 000009
【図８】
2011226231.tif 000010
【図９】
2011226231.tif 000011
【図１０】
2011226231.tif 000012
【図１１】
2011226231.tif 000013
【図１２】
2011226231.tif 000014
【図１３】
2011226231.tif 000015